(57)【要約】【課題】  サポートする複数の記録再生倍速のうちの選択された倍速において、適切なフォーカス外れ検出を行って、対物レンズと光ディスクの衝突を回避することのできる光ディスク装置を提供する。【解決手段】  光ディスク装置１は、レーザー光を出射するレーザーユニット１０と、対物レンズ１３と、対物レンズ１３を移動させるフォーカスアクチュエータ１７およびフォーカス制御部２１と、対物レンズ１３が光ディスクＯＤの面から離れる方向に移動するようにフォーカスアクチュエータ１７の動作を制御する回避パルス出力部２３と、ＡＳ信号の振幅が所定の検出レベル以下となる時間が、光ディスクＯＤの倍速の違いに応じて決定される検出時間以上継続した場合にフォーカス外れの発生を検出するフォーカス外れ検出部２９とを備え、フォーカス外れを検出したときに回避パルス出力部２３によってフォーカスアクチュエータ１７を制御する。【選択図】図１
2012155797.tif 000002
【特許請求の範囲】
【請求項１】
複数の倍速での記録再生が可能な光ディスク装置であって、
前記光ディスク装置に装填された光ディスクの記録層にレーザー光を出射する光源と、
前記レーザー光を集束する対物レンズと、
前記対物レンズを前記光ディスクのディスク面に対して垂直方向に移動させるフォーカスアクチュエータと、
前記記録層からの反射光に基づいて電気信号を生成する電気信号生成部と、
前記電気信号に基づいて前記フォーカスアクチュエータの動作を制御するフォーカス制御部と、
前記対物レンズが前記光ディスクのディスク面から離れる方向に移動するように前記フォーカスアクチュエータの動作を制御する回避パルス出力部と、
前記電気信号の振幅と所定の検出レベルとを比較し、前記電気信号の振幅が所定の検出レベル以下となる時間が、光ディスクの倍速に応じて決定される検出時間以上継続した場合にフォーカス外れの発生を検出するフォーカス外れ検出部と、
前記フォーカス外れ検出部の検出結果に応じて前記フォーカス制御部による前記フォーカスアクチュエータの動作制御と前記回避パルス出力部による前記フォーカスアクチュエータの動作制御とを切り換える切換部と、
を備える光ディスク装置。
【請求項２】
前記電気信号生成部はＡＳ信号を生成し、前記フォーカス外れ検出部は前記ＡＳ信号と前記所定の検出レベルとを比較してフォーカス外れを検出する請求項１に記載の光ディスク装置。
【請求項３】
前記電気信号生成部はＲＦ信号を生成し、前記フォーカス外れ検出部は前記ＲＦ信号と前記所定の検出レベルとを比較してフォーカス外れを検出する請求項１に記載の光ディスク装置。
【発明の詳細な説明】
【技術分野】
【０００１】
本発明は、円盤状の情報担体（以下、「光ディスク」と称する。）に記録されたデータの記録および再生を行う光ディスク装置に関する。
【背景技術】
【０００２】
大容量のデータが記録されている媒体としてＣＤ（Ｃｏｍｐａｃｔ  Ｄｉｓｃ）やＤＶＤ（Ｄｉｇｉｔａｌ  Ｖｅｒｓａｔｉｌｅ  Ｄｉｓｃ）、そしてＢＤ（Ｂｌｕ−ｒａｙ  Ｄｉｓｃ）とする光ディスクが知られており、現在広く普及している。
【０００３】
映像フォーマットや音声フォーマットの多様化に伴い、光ディスクには様々な形式のデータが記録されている。映像・音声データの再生に必要な転送速度は、記録されているデータにより異なる。映像・音声データをディスプレイやスピーカー等へ出力するホスト装置は、接続されている光ディスク装置に装填されている光ディスクからどのようなデータが記録されているか確認し、必要とする転送速度になるように光ディスク装置の倍速を変更する。
【０００４】
光ディスクの記録密度は、レーザ光のスポット径の大きさにより決定される。スポット径が小さいほど、高密度化された光ディスクを実現できる。レーザ光のスポット径は、レーザの波長に比例し、対物レンズの開口数に反比例する関係にある。したがって、スポット径を小さくするためには、レーザの波長を短くするとともに、開口数を大きくする必要がある。
【０００５】
しかしながら、対物レンズの開口数を大きくするとそれだけ焦点距離が短くなる。焦点距離が短くなると、ディスクへの記録またはディスクの再生時に、光ディスク表面と対物レンズまでの距離（ワーキングディスタンス：以下「ＷＤ」と称する）が狭くなる。光ピックアップはフォーカスサーボ制御がなされているため、通常は、対物レンズが光ディスク表面に接触することはない。しかし、外部からの振動やディスク表面上の傷や汚れにより、サーボが外れた場合には、対物レンズの位置制御が不能となり、対物レンズが光ディスク表面に衝突してディスクを傷つけるおそれがある。
【０００６】
かかる状況を回避するため、例えば、特許文献１に記載された光ディスク装置では、信号再生手段により得られる信号振幅と所定の検出レベルとを比較することによって、フォーカス制御が外れたこと（以下、「フォーカス外れ」と称する）を検出する。すなわち、信号振幅が所定の検出レベルより低い場合には、フォーカス外れであると判定する。そして、フォーカス外れが検出されると、光ディスク装置は回避パルスを発生させて、対物レンズをディスク面から強制的に遠ざける。
【０００７】
特許文献１に記載された光ディスク装置は、種類の異なるディスクに対応して適切にフォーカス外れを検出することができる。具体的には、ＢＤの場合には、信号振幅が再生状態に対して３５％低下したときにフォーカス外れを検出し、ＤＶＤの場合には５５％低下したときにフォーカス外れを検出する。このように、特許文献１に記載の光ディスク装置は、フォーカス外れ検出のための閾値をディスクの種類に応じて変える。
【先行技術文献】
【特許文献】
【０００８】
【特許文献１】特開２００８−２１０４８９号公報
【発明の概要】
【発明が解決しようとする課題】
【０００９】
反射光量の信号振幅を用いてフォーカス外れの検出を行う場合、光ディスク表面上に傷や汚れがあると、フォーカス外れを誤検出するおそれがある。傷や汚れの部分を通過する際には反射光量が低下することがあるので、実際にはフォーカス外れが起こっていないにも拘わらず、フォーカス外れを誤って検出してしまう。このような誤検出を防ぐために、カウンタを設けて、所定の検出時間以上継続して検出レベルを下回った場合にフォーカス外れを判断するという手法も知られている。
【００１０】
この検出時間は、対物レンズとディスク表面との衝突を回避するために、ＷＤ及び位置が制御不能の状態で想定されうる最悪条件での対物レンズの挙動や光ディスクの面振れ成分等を考慮して設定される。対物レンズと光ディスクの衝突を避けるためには、検出時間を極力短くすることが望ましいが、低倍速での記録再生の場合、検出時間が短いと、傷や汚れによりフォーカス外れを誤検出する可能性がある。一方、高倍速での記録再生の場合、光ディスクが面振れした際の対物レンズの単位時間当たりの変位が大きくなる。従って、検出時間が長いとフォーカス外れの検出が遅れ、対物レンズと光ディスクが衝突する危険性が高くなる。
【００１１】
本発明は、上記背景に鑑み、サポートする複数の記録再生倍速のうちの選択された倍速において、適切なフォーカス外れ検出を行って、対物レンズと光ディスクの衝突を回避することのできる光ディスク装置を提供することを目的とする。
【課題を解決するための手段】
【００１２】
本発明の光ディスク装置は、複数の倍速での記録再生が可能な光ディスク装置であって、前記光ディスク装置に装填された光ディスクの記録層にレーザー光を出射する光源と、前記レーザー光を集束する対物レンズと、前記対物レンズを前記光ディスクのディスク面に対して垂直方向に移動させるフォーカスアクチュエータと、前記記録層からの反射光に基づいて電気信号を生成する電気信号生成部と、前記電気信号に基づいて前記フォーカスアクチュエータの動作を制御するフォーカス制御部と、前記対物レンズが前記光ディスクのディスク面から離れる方向に移動するように前記フォーカスアクチュエータの動作を制御する回避パルス出力部と、前記電気信号の振幅と所定の検出レベルとを比較し、前記電気信号の振幅が所定の検出レベル以下となる時間が、光ディスクの倍速に応じて決定される検出時間以上継続した場合にフォーカス外れの発生を検出するフォーカス外れ検出部と、前記フォーカス外れ検出部の検出結果に応じて前記フォーカス制御部による前記フォーカスアクチュエータの動作制御と前記回避パルス出力部による前記フォーカスアクチュエータの動作制御とを切り換える切換部とを備える。前記電気信号として、ＡＳ信号またはＲＦ信号を用いてもよい。
【発明の効果】
【００１３】
本発明によれば、光ディスクの倍速の違いに応じて決定される検出時間を用いて、フォーカス外れを検出するので、倍速に応じて適切にフォーカス外れを検出することができる。すなわち、光ディスク装置がサポートする何れの倍速においても、ディスク表面上の傷や汚れによるフォーカス外れの誤検出を回避しつつ、衝撃などでフォーカス制御が外れた場合でも、速やかに回避信号を生成して衝突を回避する機能を実現することができ、信頼性の高い光ディスク装置を提供することができる。
【図面の簡単な説明】
【００１４】
【図１】第１の実施の形態の光ディスク装置の構成を示す図
【図２】第１の実施の形態にかかる光ディスク装置とホスト装置及び映像・音声出力装置との接続構成を示すブロック図
【図３】ＡＳ信号生成部の回路構成の例を示す図
【図４】ＦＥ信号生成部の回路構成の例を示す図
【図５】ＴＥ信号生成部の回路構成の例を示す図
【図６】フォーカス外れを検出したときの動作を示す図
【図７】（ａ）低倍速の場合において、光ディスクに傷や汚れがある場合のＡＳ信号の出力を示す図、（ｂ）高倍速の場合において、光ディスクに傷や汚れがある場合のＡＳ信号の出力を示す図
【図８】（ａ）低倍速の場合に、面振れが起きたときのＷＤを示す図、（ｂ）高倍速の場合に、面振れが起きたときのＷＤを示す図
【図９】第２の実施の形態の光ディスク装置の構成を示す図
【図１０】第３の実施の形態の光ディスク装置の構成を示す図
【発明を実施するための形態】
【００１５】
以下、本発明の実施の形態に係る光ディスク装置について図面を参照しながら詳細に説明する。
（第１の実施の形態）
図１は、本実施の形態に係る光ディスク装置１の構成を示すブロック図、図２は、第１の実施の形態にかかる光ディスク装置１とホスト装置４０及び映像・音声出力装置４４との接続構成を示すブロック図である。光ディスク装置１は、複数の倍速にて、光ディスクＯＤの記録・再生を行うことができる。図２において、光ディスク装置１は、装填された光ディスクＯＤに対して所定の起動倍速により起動処理を行う。光ディスク装置１は、起動処理が完了すると、起動処理完了通知をホスト装置４０に送信する。ホスト装置４０は、光ディスク装置１から光ディスクＯＤに記録されているデータを取得し、映像・音声再生に必要となる読取り倍速を光ディスク装置１に設定する。光ディスク装置１は、設定された倍速の特性に合わせた、フォーカス制御、トラッキング制御等の設定を行う。
【００１６】
ホスト装置４０は、光ディスク装置１に装填された光ディスクＯＤより、逐次必要なデータを外部インターフェース（例えばＡＰＡＰＩ）４１を介して読取り、内部のデコーダー４２によって映像・音声データに変換する。ホスト装置４０は、変換後の映像・音声データを、外部インターフェイス（例えばＨＤＭＩ）４３から、映像・音声出力装置（例えば液晶ＴＶ）４４に送信する。
【００１７】
次に、図１を参照して光ディスク装置１について説明する。光ディスク装置１は、光ピックアップのための構成として、レーザーユニット１０と、コリメータレンズ１１と、ビームスプリッタ１２と、対物レンズ１３と、レンズホルダー１４と、ホログラム素子１５と、受光素子１６とを有している。レーザーユニット１０から出射された光ビームがコリメータレンズ１１を通過してビームスプリッタ１２に入射され、ビームスプリッタ１２によって光路を変更されて対物レンズ１３に入射する。対物レンズ１３は、入射された光ビームを、光ディスクＯＤの記録層に焦点を生ずるように集光する。
【００１８】
光ディスクＯＤの記録層で回折・反射した反射光は、再び対物レンズ１３を通り、平行光となる。平行光となった反射光は、ビームスプリッタ１２を通過する。ビームスプリッタ１２を通過した反射光は、ホログラム素子１５によって照射面積が所定の大きさになるよう絞られて、受光素子１６に届く。受光素子１６は、入射領域がＡ，Ｂ，Ｃ，Ｄの４つの領域に分割された４分割ディテクタである。受光素子１６は、入射した光をＡ，Ｂ，Ｃ，Ｄそれぞれの領域で照射光量に応じた電気信号に変換する。
【００１９】
光ディスク装置１は、対物レンズ１３およびレンズホルダー１４を光ディスクＯＤの記録層と垂直の方向に駆動させるフォーカスアクチュエータ１７と、平行な方向に駆動させるトラッキングアクチュエータ１８と、フォーカスアクチュエータ１７およびトラッキングアクチュエータ１８を光ディスクＯＤの面振れや偏心に追従するように制御するフォーカス制御部２１およびトラッキング制御部２２とを有している。フォーカス制御部２１は、駆動回路１９に対してフォーカス制御信号を送信することによりフォーカスアクチュエータ１７を制御する。トラッキング制御部２２は、駆動回路２０に対してトラッキング制御信号を送信することによりトラッキングアクチュエータ１８を制御する。
【００２０】
また、光ディスク装置１は、対物レンズ１３およびレンズホルダー１４を光ディスクＯＤから遠ざけるようにフォーカスアクチュエータ１７を制御する回避パルス出力部２３を有している。回避パルス出力部２３とフォーカス制御部２１は、切換部２４を介してフォーカスアクチュエータ１７と接続されている。切換部２４が回避パルス出力部２３とフォーカス制御部２１を切り換えることにより、面振れに追従する通常のフォーカスアクチュエータ１７の制御と、対物レンズ１３およびレンズホルダー１４を光ディスクＯＤから遠ざける衝突回避の制御とを切り換えることができる。
【００２１】
光ディスク装置１は、受光素子１６にて変換された電気信号に基づいて、オールサム（ＡＳ）信号を生成するＡＳ信号生成部２５と、フォーカスエラー（ＦＥ）信号を生成するＦＥ信号生成部２６と、トラッキングエラー（ＴＥ）信号を生成するＴＥ信号生成部２７と、データ信号である高周波（ＲＦ）信号を生成するＲＦ信号生成部２８を有している。図３〜図５は、それぞれ、ＡＳ信号生成部２５、ＦＥ信号生成部２６、ＴＥ信号生成部２７の回路構成の例を示す図である。
【００２２】
ＡＳ信号生成部２５は、生成したＡＳ信号をフォーカス外れ検出部２９に入力する。フォーカス外れ検出部２９は、入力されたＡＳ信号に基づいてフォーカス外れ検出を行い、フォーカス外れを検出した場合には、切換部２４にフォーカス外れの検出信号を入力する。これを受けて、切換部２４は、フォーカスアクチュエータ１７の制御を、フォーカス制御部２１から回避パルス出力部２３に切り換える。
【００２３】
ＦＥ信号生成部２６は、生成したＦＥ信号をフォーカス制御部２１に入力する。フォーカス制御部２１は、入力されたＦＥ信号に基づいて、光ビームが光ディスクＯＤの記録層で合焦する状態になるようフォーカスアクチュエータ１７を制御する。ＴＥ信号生成部２７は、生成したＴＥ信号をトラッキング制御部２２に入力する。トラッキング制御部２２は、入力されたＴＥ信号に基づいて、光ビームがトラックを正しく走査するようにトラッキングアクチュエータ１８を制御する。
【００２４】
光ディスク装置１は、ＲＦ信号生成部２８にて生成されたＲＦ信号を再生処理するための構成として、波形等価器３２と、２値化部３３と、ＰＬＬ部３４と、復調部３５と、エラー訂正部３６と、Ｉ／Ｆ部３７とを有している。ＲＦ信号生成部２８にて生成されたＲＦ信号を波形等価器３２にてイコライジングし、波形整形する。整形された電気信号は２値化部３３にて、２値化信号に変換する。２値化信号がＰＬＬ部３４に入力されることでリードクロックと同期することでデータ抽出され、復調部３５、エラー訂正部３６を経由して、デジタルデータとして読み出される。読み出されたデジタルデータはＩ／Ｆ部３７を介してホスト装置４０へ転送される。また、Ｉ／Ｆ部３７は、ホスト装置４０からの要求を受信する機能も有する。Ｉ／Ｆ部３７は、ホスト装置４０から受けた要求を、システムマイコン３８に送信し、システムマイコン３８は要求に応じて光ディスク装置１の全体を制御する。
【００２５】
次に、フォーカス外れ検出部２９の構成について説明する。フォーカス外れ検出部２９は、外れ検出レベル比較部３０と、外れ検出カウンター部３１とを有している。外れ検出レベル比較部３０は、ＡＳ信号生成部２５から入力されたＡＳ信号と所定の検出レベルとを比較し、その比較結果を外れ検出カウンター部３１に入力する機能を有する。外れ検出カウンター部３１は、外れ検出レベル比較部３０から入力された比較結果の情報に基づいて、ＡＳ信号が所定の検出レベル以下となる状態が、所定の検出時間以上継続したか否かを判断する。
【００２６】
ここで、所定の検出時間は、光ディスクＯＤの倍速の違いに応じて決定される時間である。システムマイコン３８が、光ディスクＯＤの倍速の情報に基づいて、所定の検出時間を決定し、外れ検出カウンター部３１に入力する。検出時間は、倍速が低倍速の場合には、高倍速の場合よりも長くなるように設定する。同じ大きさの傷や汚れであっても、その部分を読む（読取用の光ビームが通過する）のに要する時間は、低倍速の場合の方が長時間かかるためである。なお、システムマイコン３８が、光ディスクＯＤの倍速の情報を外れ検出カウンター部３１に入力し、外れ検出カウンター部３１にて、所定の検出時間を決定してもよい。
【００２７】
次に、上記のように構成された光ディスク装置１の動作について説明する。光ディスク装置１は、光ディスクＯＤの記録層からの反射光に基づいてＲＦ信号を生成して光ディスクＯＤを再生すると共に、ＦＥ信号、ＴＥ信号を生成し、ＦＥ信号およびＴＥ信号に基づいてフォーカスエラー制御およびトラッキングエラー制御を行う。また、光ディスク装置１は、システムマイコン３８により光ディスクＯＤの再生倍速の情報に基づいてフォーカス外れを検出するための検出時間を決定し、その検出時間のデータをフォーカス外れ検出部２９に入力する。フォーカス外れ検出部２９は、反射光に基づいてＡＳ信号を生成し、ＡＳ信号に基づいてフォーカス外れの検出処理を行い、フォーカス外れを検出した際には、フォーカスアクチュエータ１７の制御を、フォーカス制御部２１から回避パルス出力部２３に切り換えることにより、衝突回避の制御を行う。
【００２８】
図６は、フォーカス外れを検出したときの動作を示す図である。図６の上段は光ディスクＯＤの記録面に対する対物レンズ１３の位置を示し、図６の中段はＡＳ信号の出力を示し、図６の下段はフォーカスアクチュエータ１７に対するフォーカス制御信号を示す。図６に示す例では、時刻ｔ１にＡＳ信号が低下し始め、時刻ｔ２に所定の検出レベル以下となり、ＡＳ信号が所定の検出レベル以下の状態が時刻ｔ３まで継続している。この例では、時間（ｔ３−ｔ２）が、システムマイコン３８から与えられた所定の検出時間であり、時刻ｔ３になると、フォーカス外れ検出部２９は、フォーカス外れを検出する。
【００２９】
フォーカス外れ検出部２９がフォーカス外れを検出すると、フォーカスアクチュエータ１７に対する制御は、フォーカス制御部２１から回避パルス出力部２３に切り替わる。回避パルス出力部２３は、図６の下段に示すように、フォーカスアクチュエータ１７に対するフォーカス制御信号として回避パルスを送信する。回避パルスは、時刻ｔ３から時刻ｔ４までの間、送信される。これにより、図６の上段に示すように、対物レンズ１３がディスク表面から遠ざかり、対物レンズ１３と光ディスクＯＤとの衝突を回避することができる。
【００３０】
本実施の形態の光ディスク装置１は、システムマイコン３８が、光ディスクＯＤの再生・記録倍速に応じて、フォーカス外れ検出に用いる検出時間を決定し、決定された検出時間を用いてフォーカス外れを検出するので、光ディスク装置１がサポートする何れの倍速においても、適切に衝突を回避することができる。
【００３１】
図７（ａ）及び図７（ｂ）は、光ディスクＯＤに傷や汚れがある場合のＡＳ信号の出力を示す図である。図７（ａ）は倍速が低倍速の場合、図７（ｂ）は倍速が高倍速の場合を示す。図７（ａ）及び図７（ｂ）を比較すると分かるように、同じ大きさの傷や汚れによりＡＳ信号の低下が継続する時間は、低倍速と高倍速の場合では異なる。従って、低倍速の場合と高倍速の場合とで同じ検出時間を用いると、高倍速の場合にはフォーカス外れを検出しないが、低倍速の場合にはフォーカス外れであると誤検出してしまう。本実施の形態では、倍速が低倍速の場合には高倍速の場合より、長い検出時間を設定しているので、低倍速の場合におけるフォーカス外れの誤検出を防止できる。また、倍速が高倍速の場合には、検出時間を短くすることが好ましい。この理由は、図８を参照して説明する。
【００３２】
図８（ａ）及び図８（ｂ）は、面振れが起きたときのＷＤを示す図である。図８（ａ）は、倍速が低倍速の場合、図８（ｂ）は、倍速が高倍速の場合を示す。図８（ａ）と図８（ｂ）を比較すると分かるとおり、高倍速の場合の方が低倍速の場合よりも、高速に面振れするため、短時間でＷＤが０となって、対物レンズ１３と光ディスクＯＤが衝突する。倍速が高倍速の場合には、フォーカス外れを検出するための検出時間を短くすることにより、フォーカス外れをより早く検出し、面振れによる衝突を防止することができる。
【００３３】
（第２の実施の形態）
図９は、第２の実施の形態の光ディスク装置２の構成を示す図である。第２の実施の形態の光ディスク装置２の基本的な構成は、第１の実施の形態と同じである。第２の実施の形態では、フォーカス外れ検出部２９ａは、ＡＳ信号ではなく、ＲＦ信号を用いてフォーカス外れの検出を行う。
【００３４】
（第３の実施の形態）
図１０は、第３の実施の形態の光ディスク装置３の構成を示す図である。第３の実施の形態の光ディスク装置３の基本的な構成は、第１の実施の形態と同じである。第３の実施の形態では、フォーカス外れ検出部２９ｂは、ＡＳ信号とＲＦ信号を切り換えて何れか信号を用いてフォーカス外れ検出を行う。
【００３５】
フォーカス外れ検出部２９は、ＡＳ信号生成部２５からＡＳ信号を受信し、受信したＡＳ信号と所定の検出レベルとの比較を行う外れ検出レベル比較部３０とＲＦ信号生成部２８からＲＦ信号を受信し、受信したＲＦ信号と所定の検出レベルとの比較を行う外れ検出レベル比較部３０を有している。外れ検出レベル比較部３０と外れ検出レベル比較部３０ａは、切換部３９を介して外れ検出カウンター部３１に接続されている。切換部３９は、システムマイコン３８に接続されている。切換部３９は、システムマイコン３８からの指令に従って、ＡＳ信号かＲＦ信号のいずれかの比較結果を外れ検出カウンター部３１に入力する。
【００３６】
このようにＡＳ信号とＲＦ信号を切り換え、何れかの信号を用いてフォーカス外れ検出を行うことにより、例えば、ブランクディスクのようにＲＦ信号が得られない場合にはＡＳ信号を用いるように切り替える等、適切にフォーカス外れを検出することができる。
【産業上の利用可能性】
【００３７】
以上説明したように、本発明は、サポートする複数の記録・再生倍速のうちの選択された倍速において、適切なフォーカス外れ検出を行うことができるという効果を有し、対物レンズ１３と光ディスクの衝突を回避することのできる光ディスク装置等として有用である。
【符号の説明】
【００３８】
１〜３  光ディスク装置
１０  レーザーユニット
１１  コリメータレンズ
１２  ビームスプリッタ
１３  対物レンズ
１４  レンズホルダー
１５  ホログラム素子
１６  受光素子
１７  フォーカスアクチュエータ
１８  トラッキングアクチュエータ
１９，２０  駆動回路
２１  フォーカス制御部
２２  トラッキング制御部
２３  回避パルス出力部
２４  切換部
２５  ＡＳ信号生成部
２６  ＦＥ信号生成部
２７  ＴＥ信号生成部
２８  ＲＦ信号生成部
２９  フォーカス外れ検出部
３０  外れ検出レベル比較部
３１  外れ検出カウンター部
３２  波形等価器
３３  ２値化部
３４  ＰＬＬ部
３５  復調部
３６  エラー訂正部
３７  Ｉ／Ｆ部
３８  システムマイコン
３９  切換部
４０  ホスト装置
４１  ＡＰＡＰＩ  Ｉ／Ｆ
４２  デコーダー
４３  ＨＤＭＩ  Ｉ／Ｆ
４４  映像・音声出力装置
【図１】
2012155797.tif 000003
【図２】
2012155797.tif 000004
【図３】
2012155797.tif 000005
【図４】
2012155797.tif 000006
【図５】
2012155797.tif 000007
【図６】
2012155797.tif 000008
【図７】
2012155797.tif 000009
【図８】
2012155797.tif 000010
【図９】
2012155797.tif 000011
【図１０】
2012155797.tif 000012